(57)【要約】      （修正有）【課題】既存技術における装飾パネルの取付が不安定であるという問題を解決することができる壁装飾保温一体機構及び壁装飾保温装置を提供する。【解決手段】壁装飾パネル８と、第１鉄筋横梁３と、第２鉄筋横梁４と、第１フレームフック５と、第２フレームフック６と、竜骨フレーム７と、少なくとも１つの装飾パネル８と、少なくとも２つの専用連結フックとを含み、第１鉄筋横梁、第２鉄筋横梁はそれぞれ壁の上下両端上に取り付けられおり、竜骨フレームの両端はそれぞれ第１フレームフック、第２フレームフックによって壁上に取り付けられており、かつ竜骨フレームの高さは壁の高さと同じであり、装飾パネルは専用連結フックによって竜骨フレーム上に取り付けられている。【選択図】図１
2020051242.tif 000002
【特許請求の範囲】
【請求項１】
壁と、第１鉄筋横梁と、第２鉄筋横梁と、第１フレームフックと、第２フレームフックと、竜骨フレームと、少なくとも１つの装飾パネルと、少なくとも２つの専用連結フックと、ポリウレタンハードフォーム層とを含み、
前記第１鉄筋横梁、前記第２鉄筋横梁はそれぞれ前記壁の上下両端に取り付けられており、
前記竜骨フレームの両端はそれぞれ前記第１フレームフック、前記第２フレームフックによって前記壁上に取り付けられており、
前記装飾パネルは前記専用連結フックによって前記竜骨フレーム上に取り付けられており、
前記装飾パネルと前記壁との間、前記竜骨フレームと前記壁との間は、いずれも前記ポリウレタンハードフォーム層によって接着されていることを特徴とする、
壁装飾保温一体機構。
【請求項２】
前記竜骨フレームは、第１垂直スクエア管、第２垂直スクエア管、複数の補強バー及び複数の横スクエア管を含み、複数の前記横スクエア管の両端は、それぞれ前記第１垂直スクエア管、前記第２垂直スクエア管と連結されており、前記補強バーの両端はそれぞれ隣接する前記横スクエア管と連結され、前記第１垂直スクエア管、前記第２垂直スクエア管及び前記補強バーは２本ずつ平行であることを特徴とする、請求項１に記載の壁装飾保温一体機構。
【請求項３】
前記装飾パネルの上端及び下端はいずれも斜面であり、前記装飾パネルの上下両端がそれぞれ前記専用連結フックによって前記竜骨フレーム上に取り付けられていることを特徴とする、請求項２に記載の壁装飾保温一体機構。
【請求項４】
前記専用連結フックは、順に連結された第１連結板、第２連結板、第３連結板及び第４連結板を含み、前記第１連結板と前記第２連結板の間は夾角を呈して連結され、前記第３連結板の両端はそれぞれ前記第２連結板、前記第４連結板と垂直に連結され、前記第３連結板、前記第１連結板はそれぞれ前記第２連結板の両側に位置し、前記第４連結板、前記第３連結板はそれぞれ前記第２連結板の同側に位置し、前記装飾パネルの上下両端はそれぞれ前記第１連結板と前記第２連結板からなる斜め溝内に掛止されていることを特徴とする、請求項３に記載の壁装飾保温一体機構。
【請求項５】
前記第２連結板、前記第３連結板及び前記第４連結板は共同で掛止溝を構成しており、前記横スクエア管が前記掛止溝内に掛止されていることを特徴とする、請求項４に記載の壁装飾保温一体機構。
【請求項６】
前記第１フレームフックは、順に連結された連結ロッド、横支持ロッド、第１縦支持ロッド、第２縦支持ロッド及び横板を含み、前記横支持ロッドの両端は、それぞれ前記連結ロッド、前記第１縦支持ロッドと垂直に連結され、前記連結ロッド、前記第１縦支持ロッドはそれぞれ前記横支持ロッドの両端に位置しており、前記第１縦支持ロッド及び前記第２縦支持ロッドは平行で、かつそれぞれ前記横板の両側に垂直に連結されており、三者がアルファベット大文字のＨの形状を形成し、上、下２つの位置決め溝を構成しており、前記連結ロッドがアンカーボルトを介して前記第１鉄筋横梁と連結され、前記竜骨フレームの一端が前記上方位置決め溝内に掛止され、他端は前記第１フレームフックの下方の位置決め溝内に掛止されていることを特徴とする、請求項１に記載の壁装飾保温一体機構。
【請求項７】
第２フレームフックの構造は第１フレームフックの構造と同じであることを特徴とする、請求項６に記載の壁装飾保温一体機構。
【請求項８】
前記装飾パネルは、液体糊で前記竜骨フレーム上に接着されていることを特徴とする、請求項１に記載の壁装飾保温一体機構。
【請求項９】
隣り合う前記装飾パネルの間が耐候性接着剤で接着されていることを特徴とする、請求項１に記載の壁装飾保温一体機構。
【請求項１０】
請求項１〜９のいずれかに記載の壁装飾保温一体機構を含むことを特徴とする、壁装飾保温装置。
【発明の詳細な説明】
【技術分野】
【０００１】
本発明は、建築工事技術分野、特に壁装飾保温一体機構及び壁装飾保温装置に係わる。
【背景技術】
【０００２】
超薄型装飾パネルは、厚さ５〜６ｍｍの花崗岩と保温材料（ポリウレタン、ＥＰＳパネル、ＸＰＳパネルなど）を採用し、工場で組み合わせて製造された、装飾と保温が一体となった新型装飾材料であり、アンカー接着により接合する方式で建築物の外壁上に取り付けられており、便利で、スピーディで、工事費が安く、建築物の負荷が減少するといった利点から、幅広く応用されている。
【０００３】
超薄型装飾パネルは石材が薄いため、アンカー及び接着剤による固定は主に保温層上に作用し、または液体糊を用いて石材の裏面にアタッチメントを接着してアンカー部材を取り付けやすくしているが、これらはいずれも石材上に直接作用せず、石材を支えているのはすべて化学的メカニズムであって物理的メカニズムではないため、将来的に保温層や液体糊が老化して支持力を失った場合、石材も支持を失って脱落したり、広範囲に倒壊したりすることになる。耐用年数は完全に保温層及び液体糊の寿命によって決まるので、安全に対する隠れた危険がある程度存在している。
【発明の概要】
【発明が解決しようとする課題】
【０００４】
本発明の目的の１つは壁装飾保温一体機構を提供することにあり、この壁装飾保温一体機構は、従来技術において装飾パネルの取付が不安定であるという問題を解決することを主としている。
本発明のもう１つの目的は壁装飾保温装置を提供することにあり、この壁装飾保温装置は、従来技術において装飾パネルの取付が不安定であるという問題を解決することを主としている。
【課題を解決するための手段】
【０００５】
上記の目的を実現するための、本発明の技術的解決手段は以下の通りである。
壁装飾保温一体機構であって、前記壁装飾保温一体機構は、壁と、第１鉄筋横梁と、第２鉄筋横梁と、第１フレームフックと、第２フレームフックと、竜骨フレームと、少なくとも１つの装飾パネルと、少なくとも２つの専用連結フックと、ポリウレタンハードフォーム層とを含み、
第１鉄筋横梁、第２鉄筋横梁はそれぞれ壁の上下両端に取り付けられており、
竜骨フレームの両端は、それぞれ第１フレームフック、第２フレームフックによって壁上に取り付けられており、かつ竜骨フレームの高さは壁の高さと同じであり、
装飾パネルは専用連結フックによって竜骨フレーム上に取り付けられており、
装飾パネルと壁との間、竜骨フレームと壁との間は、いずれもポリウレタンハードフォーム層によって接着されている。
【０００６】
本発明の好適な技術的解決手段として、竜骨フレームは、第１垂直スクエア管、第２垂直スクエア管、複数の補強バー及び複数の横スクエア管を含み、複数の横スクエア管の両端は、それぞれ第１垂直スクエア管、第２垂直スクエア管と連結されており、補強バーの両端はそれぞれ隣接する横スクエア管と連結され、第１垂直スクエア管、第２垂直スクエア管及び補強バーは２本ずつ平行である。
【０００７】
本発明の好適な技術的解決手段として、装飾パネルの上端及び下端はいずれも斜面であり、装飾パネルの上下両端は、それぞれ専用連結フックによって竜骨フレーム上に取り付けられている。
【０００８】
本発明の好適な技術的解決手段として、専用連結フックは、順に連結された第１連結板、第２連結板、第３連結板及び第４連結板を含み、第１連結板と第２連結板の間は夾角を呈して連結され、第３連結板の両端はそれぞれ第２連結板、第４連結板と垂直に連結され、第３連結板、第１連結板はそれぞれ第２連結板の両側に位置し、第４連結板、第３連結板はそれぞれ第２連結板の同側に位置しており、装飾パネルの上下両端は第１連結板と第２連結板からなる斜め溝内にそれぞれ掛止されている。
【０００９】
本発明の好適な技術的解決手段として、第２連結板、第３連結板及び第４連結板は共同で掛止溝を構成しており、横スクエア管が掛止溝内に掛止されている。
【００１０】
本発明の好適な技術的解決手段として、第１フレームフックは、順に連結された連結ロッド、横支持ロッド、第１縦支持ロッド、第２縦支持ロッド及び横板を含み、横支持ロッドの両端は、それぞれ連結ロッド、第１縦支持ロッドと垂直に連結され、連結ロッド、第１縦支持ロッドはそれぞれ横支持ロッドの両端に位置しており、第１縦支持ロッド及び第２縦支持ロッドは平行で、かつそれぞれ横板の両側に垂直に連結されており、三者がアルファベット大文字のＨの形状を形成し、上、下２つの位置決め溝を構成しており、連結ロッドはアンカーボルトを介して第１鉄筋横梁と連結され、竜骨フレームの一端は上方位置決め溝内に掛止され、他端は上記第１フレームフックの下方位置決め溝内に掛止されている。
【００１１】
本発明の好適な技術的解決手段として、第２フレームフックの構造は第１フレームフックの構造と同じである。
【００１２】
本発明の好適な技術的解決手段として、装飾パネルは宇宙工学レベルの液体糊で竜骨フレームの垂直スクエア管及び補強バー上に接着されている。
【００１３】
本発明の好適な技術的解決手段として、隣り合う装飾パネルの間は耐候性接着剤で接着されている。
壁装飾保温装置であって、該壁装飾保温装置は、上記の壁装飾保温一体機構を含むものである。
【発明の効果】
【００１４】
本発明の有益な効果は次の通りである。
本発明は上記の設計を通して壁装飾保温一体機構を提供し、該壁装飾保温一体機構は、特殊な石材形状と専用フックを採用して、超薄型石材を竜骨フレーム上に堅固に取り付け、その後、石材と壁との間にポリウレタンハードフォームを流し込んで、内部支持構造を有する超薄型装飾パネルを形成しており、将来的にポリウレタンが老化しても、石材が竜骨フレーム上に固定されているため脱落することがなく、カーテンウォールの安全性を保証するものである。
【００１５】
本発明は上記の設計を通して壁装飾保温装置を提供し、該壁装飾保温装置は、上記の壁装飾保温一体機構を有しているため、施工効率を高め、コストを節約するという特長を有する。
【図面の簡単な説明】
【００１６】
本発明の実施形態における技術的解決手段をより明確に説明するために、以下、実施形態の説明において使用する必要のある図面について簡単に紹介するが、以下の図面は本発明の実施例の一部にすぎず、本発明の保護範囲を限定するものと見なしてはならず、当業者であれば、創造的な労働を要しないという前提の下、これらの図面に基づき、他の図面を得ることもできることを理解しておかなければならない。
【００１７】
【図１】図１は、本発明に係る実施例の壁装飾保温一体機構の構造の概略図である。
【図２】図２は、本発明に係る変形例の壁装飾保温一体機構の構造の概略図である。
【図３】図３は、本発明に係る実施例の装飾パネルと専用連結フックの構造の概略図である。
【図４】図４は、本発明に係る変形例の装飾パネルと専用連結フックの構造の概略図である。
【図５】図５は、本発明に係る実施例の竜骨フレームの構造の概略図である。
【図６】図６は、本発明に係る実施例の第１フレームフックの構造の概略図である。
【図７】図７は、本発明に係る変形例の第１フレームフックの構造の概略図である。
【発明を実施するための形態】
【００１８】
本発明の実施例の目的、技術的解決手段及び長所をより明確にするために、以下では、本発明の実施例中の図面と結び付けて、本発明の実施例における技術的解決手段について明瞭で完全な説明を行うが、説明する実施例は本発明の一部の実施例であって、すべての実施例でないことは自明である。通常、ここでの図面で描写及び表示されている本発明の実施例は、様々な配置によりセッティング及び設計することができる。
【００１９】
よって、図面で提供している本発明の実施例の詳細な描写は、保護を請求する本発明の保護範囲を限定するものではなく、本発明で選定した実施例を表しているにすぎない。本発明の実施例に基づき、当業者が、創造的な労働を要しないという前提の下で獲得したその他のすべての実施例は、本発明の保護範囲に属する。
【００２０】
類似する記号や符号は、それ以降の図面では類似する項目を表すため、ある項目がある図面の中で定義された場合、その後の図面ではそれに対するさらなる定義や解釈を行う必要はないことに注意しなければならない。
【００２１】
本発明の記述において、用語の「上」、「下」などが指す方位または位置関係は、図面に示す方位または位置関係に基づいているか、または該発明の製品を使用する際に常に置く方位または位置関係に基づいており、本発明を説明しやすくし、記述を簡略化するためのものにすぎず、それらが指す装置や素子が必ずしも特定の方位を有し、特定の方位により構成され、操作されることを示したり、暗示したりするわけではなく、本発明に対する限定と理解してはならない。
【００２２】
また、本発明の中では、別途明確な規定や限定がある場合を除き、第１の特徴が第２の特徴の上または下に位置する状況には、第１及び第２の特徴が直接接触していることを含むことができ、また第１と第２の特徴が直接接触せず、それらの間の別の特徴を介して接触することを含むこともできる。また、第１の特徴が第２の特徴の上、上方及び上面である状況には、第１の特徴が第２の特徴の真上及び斜め上方にあることを含み、または、第１の特徴の高さが第２の特徴を上回ることのみを示す。第１の特徴が第２の特徴の下、下方及び下面である状況には、第１の特徴が第２の特徴の真下及び斜め下方にあることを含み、または、第１の特徴の高さが第２の特徴を下回ることのみを示す。
【００２３】
また、用語の「水平」、「垂直」などは、部材が絶対的に水平または垂直であることを要求しているわけではなく、若干傾斜していてもよい。例えば、「水平」はその方向が「垂直」に対して水平であることを指しているにすぎず、該構造が完全に水平ではなく、若干傾斜していてもよい。
【００２４】
本発明の記述において、別途明確な規定及び限定がある場合を除き、用語の「設置」、「接続」、「連結」は広義に理解しなければならない。例えば、固定連結でもよいし、着脱可能な連結でもよいし、一体的な連結でもよいし、また、機械連結でもよいし、電気的接続でもよい。また、直接接続でもよいし、中間媒体を介した間接接続でもよいし、２つの素子内部の連通でもよい。当業者であれば、具体的な状況により、上記の用語の本発明中における具体的な意味を理解することができる。
【実施例】
【００２５】
本実施例では、壁装飾保温一体機構１を含む壁保温装置を提供しており、具体的な構造は以下に述べる通りである。
図１及び２を参照し、図３〜図７を併せて参照すると、壁装飾保温一体機構１は、壁２と、第１鉄筋横梁３と、第２鉄筋横梁４と、第１フレームフック５と、第２フレームフック６と、竜骨フレーム７と、複数の装飾パネル８と、２つの専用連結フック９とを含み、第１鉄筋横梁３、第２鉄筋横梁４はそれぞれ壁２の上下両端に取り付けられおり、竜骨フレーム７の両端は、それぞれ第１フレームフック５、第２フレームフック６によって壁２上に取り付けられており、かつ竜骨フレーム７の高さは壁２の高さと同じであり、装飾パネル８は専用連結フック９によって竜骨フレーム７上に取り付けられている。
【００２６】
図５を参照し、図１及び２を併せて参照すると、竜骨フレーム７は、第１垂直スクエア管１０、第２垂直スクエア管１１、及び複数の横スクエア管１２を含み、複数の横スクエア管１２の両端は、それぞれ第１垂直スクエア管１０、第２垂直スクエア管１１と連結されており、第１垂直スクエア管１０、第２垂直スクエア管１１は平行である。
【００２７】
図３及び４を参照し、図１及び２を併せて参照すると、装飾パネル８の上端及び下端はいずれも斜面であり、装飾パネル８の上下両端は、それぞれ専用連結フック９によって竜骨フレーム７上に取り付けられている。本実施例では、装飾パネル８には超薄型石材やタイル材質を用いることができる。その他の実施例では、その他の材質を用いてもよい。
【００２８】
図３及び４を参照し、図１及び２を併せて参照すると、専用連結フック９は、順に連結された第１連結板１３、第２連結板１４、第３連結板２３及び第４連結板１５を含み、第１連結板１３と第２連結板１４の間は夾角を呈して連結され、第３連結板２３の両端はそれぞれ第２連結板１４、第４連結板１５と垂直に連結され、第３連結板２３、第１連結板１３はそれぞれ第２連結板１４の両側に位置し、第４連結板１５、第３連結板２３はそれぞれ第２連結板１４の同側に位置し、装飾パネル８の上下両端は第１連結板１３と第２連結板１４からなる斜め溝１６内にそれぞれ掛止されている。
説明しておかなければならないが、本実施例では、第２連結板１４、第３連結板２３及び第４連結板１５が共同で掛止溝１７を構成しており、横スクエア管１２が掛止溝１７内に掛止されている。
【００２９】
図６を参照し、図１及び２を併せて参照すると、第１フレームフック５は、順に連結された連結ロッド１８、横支持ロッド１９、第１縦支持ロッド２０、第２縦支持ロッド２１及び横板２２を含み、横支持ロッドの１９両端はそれぞれ連結ロッド１８、第１縦支持ロッド２０と垂直に連結され、連結ロッド１８、第１縦支持ロッド２０はそれぞれ横支持ロッド１９の両端に位置し、第１縦支持ロッド２０及び第２縦支持ロッド２１は平行で、かつそれぞれ横板２２の両側に垂直に連結されており、三者がアルファベット大文字のＨの形状を形成し、上、下２つの位置決め溝を構成しており、連結ロッド１８はアンカーボルトを介して第１鉄筋横梁３と連結され、竜骨フレーム７の一端は上方の位置決め溝内に掛止され、他端は上記第１フレームフックの下方の位置決め溝内に掛止されている。
【００３０】
また、図７を参照すると、第１フレームフック５は、順に連結された連結ロッド１８、横支持ロッド１９、第１縦支持ロッド２０、第１掛止板２４及び第２掛止板２５を含み、横支持ロッド１９の両端はそれぞれ連結ロッド１８、縦支持ロッド２０と垂直に連結され、連結ロッド１８、縦支持ロッド２０はそれぞれ横支持ロッド１９の両端に位置し、第１掛止板２４及び第２掛止板２５はそれぞれ縦支持ロッド２０の同側に連結されており、第１掛止板２４と第２掛止板２５の間には位置決め溝が構成され、連結ロッド１８はアンカーボルトを介して第１鉄筋横梁３と連結され、竜骨フレーム７の一端は位置決め溝内に掛止されている。
【００３１】
説明しておかなければならないが、本実施例では、第２フレームフック６は第１フレームフック５と同じ構造であるため、ここでは説明を省略する。
【００３２】
説明しておかなければならないが、本実施例では、特殊な石材形状及び専用連結フック９を採用しており、そのうち、装飾パネル８の上下側面は加工面に向かって斜めに２．５〜３ｍｍカットされ（側面と底面の角度は約６３〜６８度）、その後、宇宙工学レベルの液体糊で装飾パネル８を簡易な竜骨フレーム７上に接着している。超薄型石材は軽く、６ｍｍ厚さの石材の１平方メートルあたりの重量は約１６ｋｇであり、竜骨フレーム７はスクエア管を用いて作成することができ、フレームの高さは階層の壁２の高さと同じで、幅は装飾パネル８の幅の整数倍であり（１メートルを超えない）、装飾パネル８の寸法に合わせた格子状の竜骨フレーム７を、施工図面に基づいて事前に上下階の鉄筋コンクリート横梁上に取り付けておき、下から上へ、左から右へ（または右から左へ）順に取り付け、各面の竜骨フレーム７が壁面から１０〜３０ｍｍの同一垂直平面上に位置することを保証する。なお、宇宙工学レベルの液体糊は、石材用の接着剤として市販されているものを使用することが好ましい。
【００３３】
該壁装飾保温一体機構１の取付原理は以下の通りである。
装飾パネル８は専用連結フック９によって横スクエア管１２上に掛けられており、装飾パネル８の下端の斜面を専用連結フック９の斜め溝１６内に差し込むと同時に、装飾パネル８上端の横スクエア管１２上にもう１つの専用連結フック９を掛け、装飾パネル８の上端の斜面を該専用連結フック９内に引っ掛ける。このようにして、装飾パネル８は上下の専用連結フック９によって上と下で掛止される。専用連結フック９の分布は概ね均等であればよく、調整する必要はない。
【００３４】
装飾パネル８と接触する竜骨フレーム７及び専用連結フック９部分には液体糊を塗布するが、専用連結フック９が随意に動くことを防止するために、タッピンネジを用いて専用連結フック９を横スクエア管１２上に固定してもよい。その後、装飾パネル８を宇宙工学レベルの液体糊と専用連結フック９によって竜骨フレーム７上に固定し、建築物全体の周囲の装飾パネル８を、下から上へ１階ずつ取り付け、１〜２階分の取り付けが終わるごとに、耐候性接着剤を用いて隣り合う装飾パネル８の間の隙間をふさぎ、乾燥させてから、壁２と装飾パネル８との間の空洞内にポリウレタンハードフォームを流し込み、装飾パネル８と竜骨フレーム７を壁面と堅固に接着して一体にする。なお、耐候性接着剤は、コーキング剤として市販されているものを使用することが好ましい。
【００３５】
該壁装飾保温一体機構１には、以下のような効果がある。
１．施工が速い：竜骨フレーム７は工場生産であり、重量が軽く（１フレームあたりの重量は一般に１５ｋｇ以下）、現場での取付がスムーズで速い；装飾パネル８の６００×９００×５〜６ｍｍの重量は１枚約８ｋｇで、装飾パネル８は横スクエア管１２上の専用連結フック９に直接掛けて取り付けるので、調整の必要がなく、装飾パネル８に接触する竜骨フレーム７と専用連結フック９上に糊を塗布するだけでよいので、取付時間を節約することができ、１人の作業員が１枚の石材を取り付けるのに平均約５分かかるので、１時間で１２枚、１日９時間として１０８枚、５５〜６０ｍ２の取付を行うことができるので、施工効率が大幅にアップする。
【００３６】
２．より安全で、耐用年数が長い：普通の超薄型装飾パネル８を上回るアンカー接着方式を採用しており、軽量竜骨フレーム７はアンカーフックより優れており、耐老化性の宇宙工学レベルの液体糊を採用して竜骨フレーム７上に堅固に接着すると同時に、石材の様々な形状や特製の専用フックを用いて石材をしっかりと止めているので、将来的に、液体糊の効力がなくなっても石材が落下することはなく、その使用の安全性を保証している。アンカー固定が完了し、接着剤が凝固した後、現場でポリウレタンハードフォームを流し込む。
【００３７】
ポリウレタンは保温断熱及び防水の他に、一定の接着力を持ち、抗引張強度は０．１５ＭＰａを超えているので、装飾パネル８と竜骨フレーム７を一体に接着することで、装飾パネル８の耐圧強度を大幅に増強させている。それと同時に、装飾パネル８と壁面の間にも粘着力をプラスしているので、装飾パネル８は竜骨フレーム７の支持力とポリウレタンの粘着力の二重作用を得て堅牢度が非常に強くなっている。
【００３８】
また、竜骨フレーム７及びすべてのフックはポリウレタンによって完全に包まれており、空気や水分と接触しないので、錆や腐蝕が発生せず、耐用年数が延びる。また、ポリウレタンは装飾パネル８と壁２によって完全に封じ込められているので、紫外線や空気、水分と直接接触しないため、寿命がさら延び、３０年以上に達することもある。
【００３９】
３０年が経ってポリウレタンが老化し、脱落しても、装飾パネル８は宇宙工学レベルの液体ノリと専用連結フック９に支持されているので、脱落が起こることはなく、その時になってから再度ポリウレタンを流し込み、新たな使用サイクルを開始することも可能である。
【００４０】
３．応用範囲がより広い：普通の装飾パネル８はアンカーを壁面上に打つので、壁面が建築構造壁であることが求められ、気泡レンガや空洞レンガには適さない。本装飾パネル８は竜骨フレーム７上に取り付けられ、竜骨フレーム７は建築物のセメントコンクリート横梁上に取り付けて固定されており、壁面に依存しないので、非耐力壁面での施工に適し、応用範囲がより広い。
【００４１】
４．費用が安い：本壁装飾保温一体機構１は、通常の超薄型装飾パネル８と比較すると、双方とも同様の超薄型石材を採用しているが、本壁装飾保温一体機構１では、スクエア管の竜骨フレーム７と専用連結フック９を普通のアンカー部材の代わりに用い、工場での石材ポリウレタン複合加工の代わりにポリウレタンを現場で流し込んでおり、ポリウレタンの流し込みにより接着の工程が減り、推計によると、総コストは一般の超薄型装飾パネル８と略同じであり、一般の乾燥石材に保温をプラスするやり方での総工事価格の約半分である。
【００４２】
５．リサイクル可能：通電ワイヤや専用のカッターで竜骨フレーム７の背面に沿ってポリウレタン層を切断し、竜骨フレーム７と壁面を分離させ、竜骨フレーム７の周囲の耐候性接着剤を切り落とすことにより、竜骨フレーム７及び竜骨フレーム７上に接着されている装飾パネル８を、完全かつ無傷でまとめて取り外すことができ、きれいに洗浄した後、リサイクルすることができる。
【００４３】
以上のように、該壁装飾保温一体機構１は、特殊な石材形状と専用フックを採用して、超薄型石材を竜骨フレーム７上に堅固に取り付け、その後、石材と壁２との間にポリウレタンハードフォームを流し込んで、内部支持構造を有する超薄型装飾パネル８を形成しており、将来的にポリウレタンが老化した時でも、石材が竜骨フレーム７上に固定されているので、脱落することがなく、カーテンウォールの安全性を保証している。該壁装飾保温装置は、上記の壁装飾保温一体機構を有しており、施工効率を高め、コストを節約するという特長を持つ。
【００４４】
以上で述べたことは、本発明の好適な実施例にすぎず、本発明を限定するものではない。当業者であれば本発明の各種の変更や修正を行うことができるが、本発明の主旨及び原則内で行われるすべての修正、同等の置換、改良などは、本発明の保護範囲内に含まれるものである。
【符号の説明】
【００４５】
１  壁装飾保温一体機構
２  壁
３  第１鉄筋横梁
４  第２鉄筋横梁
５  第１フレームフック
６  第２フレームフック
７  竜骨フレーム
８  装飾パネル
９  専用連結フック
１０  第１垂直スクエア管
１１  第２垂直スクエア管
１２  横スクエア管
１３  第１連結板
１４  第２連結板
１５  第４連結板
１６  斜め溝
１７  掛止溝
１８  連結ロッド
１９  横支持ロッド
２０  第１縦支持ロッド
２１  第２縦支持ロッド
２２  横板
２３  第３連結板
２４  第１掛止板
２５  第２掛止板
【図１】
2020051242.tif 000003
【図２】
2020051242.tif 000004
【図３】
2020051242.tif 000005
【図４】
2020051242.tif 000006
【図５】
2020051242.tif 000007
【図６】
2020051242.tif 000008
【図７】
2020051242.tif 000009
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
壁と、第１鉄筋横梁と、第２鉄筋横梁と、第１フレームフックと、第２フレームフックと、竜骨フレームと、少なくとも１つの装飾パネルと、少なくとも２つの専用連結フックと、ポリウレタンハードフォーム層とを含み、
前記専用連結フックは、順に連結された第１連結板、第２連結板、第３連結板及び第４連結板を含み、前記第１連結板と前記第２連結板の間は夾角を呈して連結され、前記第３連結板の両端はそれぞれ前記第２連結板、前記第４連結板と垂直に連結され、前記第３連結板、前記第１連結板はそれぞれ前記第２連結板の両側に位置し、前記第４連結板、前記第３連結板はそれぞれ前記第２連結板の同側に位置し、前記装飾パネルの上下両端はそれぞれ前記第１連結板と前記第２連結板からなる斜め溝内に掛止されており、
前記第１鉄筋横梁、前記第２鉄筋横梁はそれぞれ前記壁の上下両端に取り付けられており、
前記竜骨フレームの両端はそれぞれ前記第１フレームフック、前記第２フレームフックによって前記壁上に取り付けられており、
前記装飾パネルは前記専用連結フックによって前記竜骨フレーム上に取り付けられており、
前記装飾パネルと前記壁との間、前記竜骨フレームと前記壁との間は、いずれも前記ポリウレタンハードフォーム層によって接着されていることを特徴とする、
壁装飾保温一体機構。
【請求項２】
壁と、第１鉄筋横梁と、第２鉄筋横梁と、第１フレームフックと、第２フレームフックと、竜骨フレームと、少なくとも１つの装飾パネルと、少なくとも２つの専用連結フックと、ポリウレタンハードフォーム層とを含み、
前記第１フレームフックは、順に連結された連結ロッド、横支持ロッド、第１縦支持ロッド、第２縦支持ロッド及び横板を含み、前記横支持ロッドの両端は、それぞれ前記連結ロッド、前記第１縦支持ロッドと垂直に連結され、前記連結ロッド、前記第１縦支持ロッドはそれぞれ前記横支持ロッドの両端に位置しており、前記第１縦支持ロッド及び前記第２縦支持ロッドは平行で、かつそれぞれ前記横板の両側に垂直に連結されており、三者がアルファベット大文字のＨの形状を形成し、上、下２つの位置決め溝を構成しており、前記連結ロッドがアンカーボルトを介して前記第１鉄筋横梁と連結され、前記竜骨フレームの一端が前記上方位置決め溝内に掛止され、他端は前記第１フレームフックの下方の位置決め溝内に掛止されており、
前記第１鉄筋横梁、前記第２鉄筋横梁はそれぞれ前記壁の上下両端に取り付けられており、
前記竜骨フレームの両端はそれぞれ前記第１フレームフック、前記第２フレームフックによって前記壁上に取り付けられており、
前記装飾パネルは前記専用連結フックによって前記竜骨フレーム上に取り付けられており、
前記装飾パネルと前記壁との間、前記竜骨フレームと前記壁との間は、いずれも前記ポリウレタンハードフォーム層によって接着されていることを特徴とする、
壁装飾保温一体機構。
【請求項３】
前記竜骨フレームは、第１垂直スクエア管、第２垂直スクエア管、複数の補強バー及び複数の横スクエア管を含み、複数の前記横スクエア管の両端は、それぞれ前記第１垂直スクエア管、前記第２垂直スクエア管と連結されており、前記補強バーの両端はそれぞれ隣接する前記横スクエア管と連結され、前記第１垂直スクエア管、前記第２垂直スクエア管及び前記補強バーは２本ずつ平行であることを特徴とする、請求項１又は２に記載の壁装飾保温一体機構。
【請求項４】
前記装飾パネルの上端及び下端はいずれも斜面であり、前記装飾パネルの上下両端がそれぞれ前記専用連結フックによって前記竜骨フレーム上に取り付けられていることを特徴とする、請求項３に記載の壁装飾保温一体機構。
【請求項５】
前記第２連結板、前記第３連結板及び前記第４連結板は共同で掛止溝を構成しており、前記横スクエア管が前記掛止溝内に掛止されていることを特徴とする、請求項１に記載の壁装飾保温一体機構。
【請求項６】
第２フレームフックの構造は第１フレームフックの構造と同じであることを特徴とする、請求項２に記載の壁装飾保温一体機構。
【請求項７】
前記装飾パネルは、液体糊で前記竜骨フレーム上に接着されていることを特徴とする、請求項１に記載の壁装飾保温一体機構。
【請求項８】
隣り合う前記装飾パネルの間が耐候性接着剤で接着されていることを特徴とする、請求項１に記載の壁装飾保温一体機構。
【請求項９】
請求項１〜８のいずれかに記載の壁装飾保温一体機構を含むことを特徴とする、壁装飾保温装置。